(57)【要約】【課題】構造が比較的単純で、製造容易であり、安価に得られると共に、ペットの安全性および快適性が高いペット運搬用バッグを提供する。【解決手段】ペット運搬用バッグは、織物の第1、第２の帯板１，２と、織物の第1、第２の側板３，４と、織物のショルダストラップ５とを具備する。帯板１，２は、互いにX字状に交差して形成される重合部を囲む平行四辺形の各辺おいて互いに縫合され、バッグの主体部７を形成する。側板３が、縫合辺３ａ，３ｂにおいて主体部７の交差辺１ａ，２ａに縫合され、側板４が、縫合辺４ａ，４ｂにおいて主体部７の交差辺１ｂ，２ｂに縫合される。主体部７の交差辺１ａ，２ｂ・１ｂ，２ａが互いに縫合されることにより、底部６と、底部６を囲む側壁とを有するバッグ本体が形成される。このバッグ本体における集合した帯板１，２の両端間がショルダストラップ５により結合される。【選択図】図１
2011083258.tif 000002
【特許請求の範囲】
【請求項１】
織物の第1の帯板と、織物の第２の帯板と、織物の第1の側板と、織物の第２の側板と、織物のショルダストラップとを具備し、
前記第1の帯板と第２の帯板とが、互いにX字状に交差して形成される重合部を囲む平行四辺形の各辺おいて互いに縫合されることにより、バッグの主体部が形成され、
この主体部は、縫合部に囲まれた平行四辺形状の底部と、第1、第２の帯板の交差辺により形成される対向各一対の第１および第２の入角部を具備し、
前記第1及び第２の側板は、それぞれほぼ三角形状で、第１の縫合辺と、第２の縫合辺と、上縁辺を具備し、
前記第1の側板が、前記第１および第２の縫合辺において前記主体部の第１の入角部を形成する交差辺に縫合され、前記第２の側板が、前記第１および第２の縫合辺において主体部の第２の入角部を形成する交差辺に縫合され、かつ主体部の第３、第４の入角部を形成する交差辺が互いに縫合されることにより、前記底部と、底部を囲む側壁とを有するバッグ本体が形成され、
このバッグ本体における集合した前記第1および第２の帯板の両端間が前記ショルダストラップにより結合されてなることを特徴とするペット運搬用バッグ。
【請求項２】
前記底部内には柔軟で保形性のある心材が挿入されていることを特徴とする請求項１に記載のペット運搬用バッグ。
【請求項３】
前記第1及び第２の側板の上縁辺内には、柔軟で保形性のある心材が挿入されていることを特徴とする請求項１又は２に記載のペット運搬用バッグ。
【請求項４】
前記第1、第２の帯板および前記第1、第２の側板は、表裏二重の布地で形成され、前記底部内および前記第1及び第２の側板の上縁辺内には柔軟で保形性のある心材が挿入されていることを特徴とする請求項１に記載のペット運搬用バッグ。
【発明の詳細な説明】
【技術分野】
【０００１】
この発明は、ペット運搬用バッグに関する。
【背景技術】
【０００２】
ペットや幼児を運ぶための肩掛け式のスリングとして、特許文献１に記載されたものが知られている。この運搬具は、小型のペットの体重を支持するのに十分な幅および強さをもつ肩掛け式のスリングであって、抱える使用者の側部、ヒップまたは胴部領域に寄りかかって保持されるとき、ペットが、座る姿勢または横たわる姿勢で休むことを可能とする保持部分を形成する織物のパネルを有する。保持部分は、使用者の身体の近くにある底部と、使用者の身体から遠い側にある側部を含み、側部は底部より高い位置にある。
特許文献２に記載されたペット運搬用バッグは、平面視略長方形又は略長円形状をなす底面部と、該底面部の四周に延設されて底面部を囲繞する短辺側・長辺側各一対ずつの側壁部とを備え、側壁部は、隣接する側辺同士が連結部材を介して互いに連結・解除可能となされ、解除時には少なくとも一部の側壁部が底面部と同一面をなすように展開可能な構成である。底面部の短辺側の一方の側壁部と長辺側の両側壁部との間に略三叉状のショルダストラップが着脱自在に架け渡される。
【先行技術文献】
【特許文献】
【０００３】
【特許文献１】特表２００４−５２９７３２号公報
【特許文献２】特開２００９−１３６２５５号公報
【発明の概要】
【発明が解決しようとする課題】
【０００４】
特許文献１に記載のスリングは、構造が単純であるが、安全性および快適性を犠牲にする傾向にある。すなわち、しっかりした底部がないため、ペットの体重がかかると全体が変形し、ペットが安定して横たわることができない。また、底部の全周を囲むしっかりした側部がないので、使用者の姿勢により、ペットが落下するおそれがある。
特許文献２に記載のペット運搬用バッグは、安全性および快適性が比較的高いが、構造が複雑で、製造コストを引き上げる要因となる。
したがって、この出願に係る発明は、構造が比較的単純で、製造容易であり、安価に得られると共に、ペットの安全性および快適性が比較的高いペット運搬用バッグを提供することを目的としている。
【課題を解決するための手段】
【０００５】
以下、添付図面の符号を参照して説明するが、本発明はこれに限定されるものではない。
上記課題を解決するための、この出願に係る発明のペット運搬用バッグは、織物の第1の帯板１と、織物の第２の帯板２と、織物の第1の側板３と、織物の第２の側板４と、織物のショルダストラップ５とを具備する。第1の帯板１と第２の帯板２とは、互いにX字状に交差して形成される重合部を囲む平行四辺形の各辺おいて互いに縫合され、バッグの主体部７を形成する。この主体部７は、縫合部８に囲まれた平行四辺形状の底部６と、第1、第２の帯板１，２の交差辺１ａ，１ｂ，２ａ，２ｂにより形成される対向各一対の第１および第２の入角部９，１０・１１，１２を具備する。第1及び第２の側板３，４は、それぞれほぼ三角形状で、第１の縫合辺３ａ，４ａと、第２の縫合辺３ｂ，４ｂと、上縁辺３ｃ，４ｃとを具備する。第1の側板３が、第１および第２の縫合辺３ａ，３ｂにおいて主体部７の第１の入角部９を形成する交差辺１ａ，２ａに縫合され、第２の側板４が、第１および第２の縫合辺４ａ，４ｂにおいて主体部７の第２の入角部１０を形成する交差辺１ｂ，２ｂに縫合される。主体部７の第３、第４の入角部１１，１２を形成する交差辺１ａ，２ｂ・１ｂ，２ａが互いに縫合されることにより、底部６と、底部６を囲む側壁とを有するバッグ本体１４が形成される。このバッグ本体１４における集合した第1および第２の帯板１，２の両端間がショルダストラップ５により結合される。
【発明の効果】
【０００６】
この出願に係る発明の装置によれば、構造が比較的単純で、製造容易であり、安価に得られるにかかわらず、構造上、底部と、底部を囲む側壁とを有するバッグ本体が形成されるので、ペットの安全性および快適性が高いペット運搬用バッグを提供することができる。
【図面の簡単な説明】
【０００７】
【図１】ペット運搬用バッグの構成部材の展開状態の平面図である。
【図２】ペット運搬用バッグの斜視図である。
【図３】ペット運搬用バッグのショルダストラップを結合する前の状態の斜視図である。
【図４】ペット運搬用バッグの正面図である。
【図５】ペット運搬用バッグの側面図である。
【図６】図４におけるＶＩ−ＶＩ断面図である。
【図７】図４におけるＶＩＩ−ＶＩＩ断面図である。
【図８】ペット運搬用バッグの使用状態の説明図である。
【発明を実施するための形態】
【０００８】
図面を参照してこの発明の実施の形態を説明する。
ペット運搬用のバッグは、図１に示すように、織物の第1の帯板１と、織物の第２の帯板２と、織物の第1の側板３と、織物の第２の側板４と、織物のショルダストラップ５とを具備する。
【０００９】
第1の帯板１と第２の帯板２とは、互いにX字状に交差して形成される重合した底部６を囲む平行四辺形の各辺おいて互いに縫合され、バッグの主体部７が形成される。
【００１０】
主体部７は、縫合部８に囲まれた平行四辺形状の底部６と、第1、第２の帯板１，２の各交差辺１ａ，１ｂ，２ａ，２ｂにより形成される対向各一対の第１および第２の入角部９（１ａ・２ａ）・１０（１ｂ・２ｂ），１１（１ａ・２ｂ）・１２（１ｂ・２ａ）を具備する。
【００１１】
第1及び第２の側板３，４は、それぞれほぼ三角形状で、第１の縫合辺３ａ，４ａと、第２の縫合辺３ｂ，４ｂと、上縁辺３ｃ，４ｃを具備する。第1の側板３は、第１および第２の縫合辺３ａ，３ｂにおいて主体部７の第１の入角部９を形成する交差辺１ａ，２ａに縫合される。
【００１２】
主体部７の第２の入角部１０を形成する交差辺１ｂ，２ｂが互いに縫合されることにより、図３に示すように、底部６、底部６を囲む側壁１３とを有するバッグ本体１４が形成される。
【００１３】
バッグ本体１４において、折り曲げて集合させた第1および第２の帯板１，２の両端１５間が、ショルダストラップ５により結合されることにより、図２，図４ないし図６に示すペット運搬用バッグが形成される。
【００１４】
なお、底部６、側板３，４は、表裏二重の布地で形成され、内部には、発泡ウレタンのような、柔軟で一定の保形性を有する心材１６が挿入されている。側板３の上縁辺３ｃの内部には、他の部位よりも厚い心材が挿入され、図８に示すように、ペットが顎を載せた状態でこれを柔軟に支持できるようになっている。
【００１５】
また、側板４の上縁辺４ｃは、側板３の上縁辺３ｃよりやや短く形成され、側板４を身体側に沿わせて袈裟懸けに肩に掛けたときに、側板３が相対的に上方へ引き上げられる形態となり、内側がたるまず、外側へはペットが落ちにくくなる。
【００１６】
このバッグは、部品点数が少なく、構造が比較的単純で、製造容易であり、安価に得られる。底部６と、底部６を囲む側板３，４および帯板１，２の一部を含む側壁１３とで構成されるバッグ本体１４が形成されるので、ペットの安全性および快適性が高いペット運搬用バッグを提供することができる。
【符号の説明】
【００１７】
１    第1の帯板
１ａ  第1の交差辺
１ｂ  第２の交差辺
２    第２の帯板
２ａ  第1の交差辺
２ｂ  第２の交差辺
３    第1の側板
３ａ  第1の縫合片
３ｂ  第２の縫合片
３ｃ  上縁辺
４    第２の側板
４ａ  第1の縫合片
４ｂ  第２の縫合片
４ｃ  上縁辺
５    ショルダストラップ
６    底部
７    バッグの主体部
８    縫合部
９    第１の入角部
１０  第２の入角部
１１  第３の入角部
１２  第４の入角部
１３  側壁
１４  バッグ本体
１５  端部
１６  心材
【図１】
2011083258.tif 000003
【図２】
2011083258.tif 000004
【図３】
2011083258.tif 000005
【図４】
2011083258.tif 000006
【図５】
2011083258.tif 000007
【図６】
2011083258.tif 000008
【図７】
2011083258.tif 000009
【図８】
2011083258.tif 000010